(57)【特許請求の範囲】
【請求項１】
方形板状のパネル本体と、
前記パネル本体の前面に塗布した接着剤を介して接着接合した複数のプレート部材と、
前記パネル本体の最上部に配置したプレート部材の上辺又は前記パネル本体の最下部に配置したプレート部材の下辺をそれぞれその位置に保持する上下部用保持金具であって、最上部のプレート部材と該パネル本体とを上辺で、最下部のプレート部材と該パネル本体とを下辺で、それぞれ同時に抱持する上下辺抱持手段及び該上下辺抱持手段の一部から突出し該プレート部材と該パネル本体との間の接着剤中に挿入埋設する埋設固定片からなる上下部用保持金具と、
前記パネル本体の前面に縦横に配置した前記複数のプレート部材の各々の間の目地のうち、十字状の交差部の中心にその中心を位置させて配置する交差部用保持金具であって、左右両側の上下の前記プレート部材と前記パネル本体との間で前記接着剤中に埋設する埋設固定片、及び該埋設固定片から立ち上がり、該埋設固定片と共に、左右両側の上下のプレート部材の下辺又は上辺の各々を抱持する中間抱持手段からなる交差部用保持金具と、
前記パネル本体の両側部に配置した上下隣接するプレート部材間の横目地にその上下方向中央部を位置させて配置する側部用保持金具であって、前記パネル本体と上下の前記プレート部材との間で前記接着剤中に埋設する埋設固定片、及び該埋設固定片から立ち上がり、該埋設固定片と共に、上下のプレート部材の下辺又は上辺の各々を抱持する中間抱持手段からなる側部用保持金具と、
で構成し、
かつ前記交差部用保持金具の埋設固定片の中央部には軸状取付手段の貫通用の取付穴を開口したトンネルの壁面用複合パネル。
【請求項２】
前記上下部用保持金具の上下辺抱持手段を、前記プレート部材の前面に当接する舌片と、前記パネル本体の背面に当接する接合片と、該舌片及び該接合片を連結する、前記プレート部材及び前記パネル本体の上端面又は下端面に当接する連結側片とで構成し、
前記上下部用保持金具の埋設固定片を前記連結側片の途中から前記舌片及び前記接合片と同一方向にかつ平行に張り出した構成とし、
前記埋設固定片には、その内側に接着剤との絡み結合用の切欠開口を形成し、前記接合片には、前記連結側片から連続する接着剤との絡み結合用の切欠開口を形成した請求項１のトンネルの壁面用複合パネル。
【請求項３】
前記交差部用保持金具の前記埋設固定片を、その中央部に前記取付穴を開口し、かつ該取付穴の周縁及びその左右の上下方向中央部付近を除く部位に接着剤との絡み結合用の切欠開口を形成した横方向に長い長方形の板部材に構成し、
前記中間抱持手段を、前記埋設固定片の左右両側の上下方向中央部に各々前記横目地の間隔で立ち上げた上脚片及び下脚片と、該左右両側の上脚片の先端から上向きに構成した上側のプレート部材の下辺側前面に当接する舌片及び下脚片の先端から下向きに構成した下側のプレート部材の上辺側前面に当接する舌片と、で構成した請求項１又は２のトンネルの壁面用複合パネル。
【請求項４】
前記側部用保持金具の埋設固定片を、上下方向中央部付近を除く上下の部位に接着剤との絡み結合用の切欠開口を形成した縦方向に長い長方形の板部材に構成し、
前記中間抱持手段を、前記埋設固定片の上下方向中央部に前記横目地の間隔で立ち上げた上脚片及び下脚片と、該上脚片の先端から上向きに構成した上側のプレート部材の下辺側前面に当接する舌片及び下脚片の先端から下向きに構成した下側のプレート部材の上辺側前面に当接する舌片と、で構成した請求項１、２又は３のトンネルの壁面用複合パネル。
【請求項５】
前記上下部用保持金具、前記交差部用保持金具及び前記側部用保持金具を、防錆性及び防食性の一方又は双方の性質を備えた金属で構成した請求項１、２、３又は４のトンネルの壁面用複合パネル。
【発明の詳細な説明】
【技術分野】
【０００１】
本発明は、前面に縦横に配列する複数のタイル又は石材等のプレート部材とこれをその前面で支持するパネル本体とを基本要素としてなり、適当な取付手段を介してトンネル内の壁面に取り付けて使用するためのトンネルの壁面用複合パネルに関するものである。
【背景技術】
【０００２】
この種のトンネルの壁面用複合パネルとしては、パネル本体であるセメント板の前面側に配列した複数のタイルを樹脂系の接着剤を介して接着固定し、該セメント板の裏面側にガラス繊維クロスを接着剤を介して張り付けたものの使用例がある。【０００３】
特許文献１のパネル取付工法で使用されている「タイルが表面に張り付けられたパネル」は、上記の使用例とほぼ同様の構成で、パネル本体の前面に配列した複数のタイルをエポキシ系等の耐水性に優れた接着剤を介して接着接合してあるものである。【０００４】
以上のようなタイプの複合パネルは、これに使用するタイル等のプレート部材の材質及びパネル本体の材質を適切に選択し、必要に応じてパネル本体に補強を行うことにより、そこに記述されているように、耐火性、耐久性、耐候性、耐汚染性、洗浄回復性及びメンテナンス性等について一定程度以上の優れたものとすることは可能であると思われる。【０００５】
しかし、入手可能性等から現実に採用可能なパネル本体の材質との関係で、トンネル内の壁面に以上のような複合パネルを取り付けた場合に、そのパネル本体とアンカーボルト等の取付手段との結合部の強度を十分に高いものとすることは容易ではない。その結果、以上のように壁面に取り付けた複合パネルに強い外力が加わった場合には、そのパネル本体に、前記取付手段との結合部分で損傷を生じ、壁面からの該複合パネルの脱落を生じるおそれがある。【０００６】
また、以上のような複合パネルは、いずれにしてもタイル等のプレート部材を接着剤を用いてパネル本体に接着接合したものであり、接着剤の接着性能を完全に発揮できる態様での接着剤の使用は困難であるため、すなわち、例えば、パネル本体に塗布した接着剤を介してプレート部材を接着しようとすると、接着剤と後者のプレート部材との接着におけるオープンタイムは「０」とはし得ないため、プレート部材の接着剤との界面における剥離がし易くなり、パネル本体からのプレート部材の剥離落下が生じ易くなることは避け得ない。【０００７】
そこで、これらの問題点を解決すべく提案されたのが特許文献２の発明であり、これは、方形板状のパネル本体と、該パネル本体の前面に固設する金属基板であって、その前面に配列する複数のプレート部材の寸法形状及び配列に対応させて該各プレート部材の上部及び下部を係止する上部係止片及び下部係止片を配した金属基板と、該金属基板の前面に、前記上部係止片及び前記下部係止片に係止させて配列保持する前記複数のプレート部材と、で構成したトンネルの壁面用複合パネルである。【０００８】
この特許文献２の発明によれば、特許文献１の発明及びそれ以前のトンネルの壁面用複合パネルにおける前記二つの重要な問題を含む多くの問題点を解決することができ、非常に優れた結果を得ることができる。しかし、この特許文献２の発明は、パネル本体の前面にほぼ同一投影面積を有する金属基板を配設するものであり、該金属基板としてステンレススチール製のそれを採用するとすれば、非常に高価なものになり、コスト面で容易に採用しがたい問題があることを認めざるを得ない。
【先行技術文献】
【特許文献】
【０００９】
【特許文献１】特開２０１２−１８０６８２号公報（日本国特許公報）
【特許文献２】特開平１０−２９９１４４号公報（日本国特許公報）
【発明の概要】
【発明が解決しようとする課題】
【００１０】
本発明は、前記特許文献１の発明による複合パネル及びそれ以前の複合パネルにおける接着剤の接着性能が完全に発揮し得ない問題から生じる剥離落下の問題並びにパネル本体の強度が不十分であることによる壁面への取付の不確実性の問題のそれぞれを低コストで解消したトンネルの壁面用複合パネルを提供することを解決の課題とする。
【課題を解決するための手段】
【００１１】
本発明の１は、方形板状のパネル本体と、
前記パネル本体の前面に塗布した接着剤を介して接着接合した複数のプレート部材と、
前記パネル本体の最上部に配置したプレート部材の上辺又は前記パネル本体の最下部に配置したプレート部材の下辺をそれぞれその位置に保持する上下部用保持金具であって、最上部のプレート部材と該パネル本体とを上辺で、最下部のプレート部材と該パネル本体とを下辺で、それぞれ同時に抱持する上下辺抱持手段及び該上下辺抱持手段の一部から突出し該プレート部材と該パネル本体との間の接着剤中に挿入埋設する埋設固定片からなる上下部用保持金具と、
前記パネル本体の前面に縦横に配置した前記複数のプレート部材の各々の間の目地のうち、十字状の交差部の中心にその中心を位置させて配置する交差部用保持金具であって、左右両側の上下の前記プレート部材と前記パネル本体との間で前記接着剤中に埋設する埋設固定片、及び該埋設固定片から立ち上がり、該埋設固定片と共に、左右両側の上下のプレート部材の下辺又は上辺の各々を抱持する中間抱持手段からなる交差部用保持金具と、
前記パネル本体の両側部に配置した上下隣接するプレート部材間の横目地にその上下方向中央部を位置させて配置する側部用保持金具であって、前記パネル本体と上下の前記プレート部材との間で前記接着剤中に埋設する埋設固定片、及び該埋設固定片から立ち上がり、該埋設固定片と共に、上下のプレート部材の下辺又は上辺の各々を抱持する中間抱持手段からなる側部用保持金具と、
で構成し、
かつ前記交差部用保持金具の埋設固定片の中央部には軸状取付手段の貫通用の取付穴を開口したトンネルの壁面用複合パネルである。【００１２】
本発明の２は、本発明の１のトンネルの壁面用複合パネルにおいて、
前記上下部用保持金具の上下辺抱持手段を、前記プレート部材の前面に当接する舌片と、前記パネル本体の背面に当接する接合片と、該舌片及び該接合片を連結する、前記プレート部材及び前記パネル本体の上端面又は下端面に当接する連結側片とで構成し、
前記上下部用保持金具の埋設固定片を前記連結側片の途中から前記舌片及び前記接合片と同一方向にかつ平行に張り出した構成とし、
前記埋設固定片には、その内側に接着剤との絡み結合用の切欠開口を形成し、前記接合片には、前記連結側片から連続する接着剤との絡み結合用の切欠開口を形成したものである。【００１３】
本発明の３は、本発明の１又は２のトンネルの壁面用複合パネルにおいて、
前記交差部用保持金具の前記埋設固定片を、その中央部に前記取付穴を開口し、かつ該取付穴の周縁及びその左右の上下方向中央部付近を除く部位に接着剤との絡み結合用の切欠開口を形成した横方向に長い長方形の板部材に構成し、
前記中間抱持手段を、前記埋設固定片の左右両側の上下方向中央部に各々前記横目地の間隔で立ち上げた上脚片及び下脚片と、該左右両側の上脚片の先端から上向きに構成した上側のプレート部材の下辺側前面に当接する舌片及び下脚片の先端から下向きに構成した下側のプレート部材の上辺側前面に当接する舌片と、で構成したものである。【００１４】
本発明の４は、本発明の１、２又は３のトンネルの壁面用複合パネルにおいて、
前記側部用保持金具の埋設固定片を、上下方向中央部付近を除く上下の部位に接着剤との絡み結合用の切欠開口を形成した縦方向に長い長方形の板部材に構成し、
前記中間抱持手段を、前記埋設固定片の上下方向中央部に前記横目地の間隔で立ち上げた上脚片及び下脚片と、該上脚片の先端から上向きに構成した上側のプレート部材の下辺側前面に当接する舌片及び下脚片の先端から下向きに構成した下側のプレート部材の上辺側前面に当接する舌片と、で構成したものである。【００１５】
本発明の５は、本発明の１、２、３又は４のトンネルの壁面用複合パネルにおいて、
前記上下部用保持金具、前記交差部用保持金具及び前記側部用保持金具を、防錆性及び防食性の一方又は双方の性質を備えた金属で構成したものである。
【発明の効果】
【００１６】
本発明の１のトンネルの壁面用複合パネルによれば、これらをトンネル内の壁面に取り付ける場合には、これらをそれぞれ壁面の所定の位置に配置し、各々必要な取付力を確保できる適当数のアンカーボルト等の軸状取付手段を用いて該壁面に取付固定する。各複合パネル毎にその複数の交差部用保持金具のうちから前記軸状取付手段の数に対応する数のそれらを位置的にバランス良く選択し、各複合パネルは、それらの選択された交差部用保持金具の取付穴を貫通させて、該壁面及び該交差部用保持金具に固定する該軸状取付手段で該壁面に固定するものである。【００１７】
それ故、本発明の１のトンネルの壁面用複合パネルによれば、パネル本体として事実上十分な強度を有するそれを採用できない場合であっても、前記軸状取付手段との高いレベルの結合が可能となり、これ自体が強い外力を受けた場合に、該軸状取付手段との結合部分に損傷を生じて、壁面からのこれ自体の剥離落下が生じるような虞はないものとなる。すなわち、軸状取付手段は、パネル本体の前面に配した交差部用保持金具に固定されることとなるので、パネル本体が脆弱であっても、その強度ではなく、該交差部用保持金具の強度で保持されるためである。【００１８】
また本発明の１のトンネルの壁面用複合パネルによれば、パネル本体の最上部及び最下部に位置するプレート部材は、前者の上辺及び後者の下辺が、接着剤の他に、前記上下部用保持金具でパネル本体に結合保持され、同様に接着剤の他に、前記交差部用保持金具のうち、軸状取付手段で壁面に結合固定されたそれによって、その上下のプレート部材がパネル本体に結合保持される。【００１９】
それらのプレート部材のそれ以外の部位及びその他のプレート部材は、パネル本体と直接に接着剤で結合される他、前記以外の交差部用保持金具と側部用保持金具とによってその上下辺又は上辺若しくは下辺を保持固定される。そしてこれらの交差部用保持金具及び側部用保持金具は、それぞれその埋設固定片が、パネル本体とプレート部材とを接着接合すべくその間に配した接着剤中に埋設状態となり、該接着剤との機械的結合状態を保持することとなる。それ故、交差部用保持金具及び側部用保持金具を介した接着剤との間のプレート部材の結合は確実なものとなる。【００２０】
後述するように、接着剤とパネル本体との接着接合は、オープンタイムが「０」であって、その接着剤の性能が確実に発揮できるが故に、確実であり、それ故、プレート部材と接着剤との接着接合が、オープンタイムが「０」でないが故に不安定であっても、少なくとも、プレート部材は、接着剤の破断強度又はパネル本体自体の有する強度で該パネル本体を結合固定できることになる。【００２１】
本発明者の知見によれば、パネル本体に塗布した接着剤を介して該パネル本体とプレート部材とを接着接合した場合は、プレート部材のパネル本体からの剥離は、プレート部材と接着剤との界面での剥離が殆どであり、パネル本体と接着剤との界面における剥離は殆ど生じていない。その理由は、パネル本体の前面への接着剤の塗布はオープンタイム「０」で行われ、かつコテ圧を掛けながら塗り付けるものであるから、その接着強度は安定してその定格通りに発揮される。これに対して、プレート部材と接着剤の接着接合は、上記のように、パネル本体の前面に塗布した接着剤に対して、その裏面側を押し付ける態様で行われるものであり、ある程度の時間をおいた後の接着接合操作にならざるを得ない。すなわち、オープンタイム「０」とはなり得ない。それ故、接着剤の接着性能を完全には発揮し得ず、プレート部材と接着剤との間の接着強度には不安定にならざるを得ない面がある。【００２２】
本発明の１のトンネルの壁面用複合パネルによれば、上下部用保持金具、交差部用保持金具及び側部用保持金具のそれぞれの埋設固定片を、パネル本体に安定して接着接合している接着剤中に埋設し、これらの埋設固定片を、接着剤に対して、接着力によってではなく、機械的に結合させ、こうしてパネル本体に接着剤を介して機械的に確実に結合した前記上下部用保持金具、前記交差部用保持金具及び前記側部用保持金具でプレート部材を保持することにより、プレート部材と接着剤との間での接着力の不足を補い、確実な保持を確保しようとするものであり、そのような良好な保持結果が得られる。なお、埋設固定片と接着剤との結合強度は、該接着剤の破断強度である。【００２３】
本発明の１のトンネルの壁面用複合パネルによれば、特に漏水のないトンネルの壁面に設置した場合に、接着剤の性能を維持し易いため有効である。【００２４】
本発明の２のトンネルの壁面用複合パネルによれば、最上部又は最下部のプレート部材とパネル本体とを連結側片で繋がる舌片と接合片とで抱え、その連結側片から延びる中間の埋設固定片を、前記プレート部材と前記パネル本体との間の接着剤中に挿入埋設し、該埋設固定片に形成した切欠開口に該接着剤を進入させ、該埋設固定片を該接着剤と完全に機械的に結合できるようにしたものであり、それ故、前記舌片と接合片とによるプレート部材とパネル本体との抱持状態は確実に保持されることになる。前記接合片にも切欠開口が形成してあり、パネル本体の背面の所定の位置に配した接着剤が該切欠開口の内外に絡み、その接合固定も確実なものになるものである。【００２５】
本発明の３のトンネルの壁面用複合パネルによれば、プレート部材の上辺又は下辺の前面を舌片で支持し、該舌片と上脚片又は下脚片を介して結合する埋設固定片を、前記プレート部材と前記パネル本体との間に配した接着剤中に挿入埋設し、該埋設固定片に形成した切欠開口に該接着剤を進入させ、該埋設固定片を該接着剤に完全に機械的に結合できるようにしたものであり、それ故、前記舌片によるプレート部材の支持状態はこれも確実に保持されることになる。【００２６】
本発明の４のトンネルの壁面用複合パネルによれば、本発明の３のトンネル壁面用複合パネルと同様に、プレート部材の上辺又は下辺の前面を舌片で支持し、該舌片と上脚片又は下脚片を介して結合する埋設固定片を、前記プレート部材と前記パネル本体との間に配した接着剤中に挿入埋設し、該埋設固定片に形成した切欠開口に該接着剤を進入させ、該埋設固定片を該接着剤に完全に機械的に結合できるようにしたものであり、それ故、前記舌片によるプレート部材の支持状態は確実に保持されることになる。【００２７】
本発明の５のトンネルの壁面用複合パネルによれば、前記上下部用保持金具、前記交差部用保持金具及び前記側部用保持金具を、全て防錆性及び防食性の一方又は双方の性質を備えた金属で構成したものであり、それ故、プレート部材のパネル本体への固定状態を長期にわたって確実に保持できるものである。
【図面の簡単な説明】
【００２８】
【図１】(a)は実施例のアンカーボルトを配した状態のトンネルの壁面用複合パネルの平面図、(b)はその正面図、(c)はその右側面図。
【図２】(a)は実施例のアンカーボルトを配した状態のトンネルの壁面用複合パネルの一部切欠拡大平面図、(b)はその一部切欠拡大正面図、(c)はその拡大右側面図。
【図３】(a)は実施例のトンネル壁面用複合パネルのアンカーボルトを配してある目地の十字状交差部付近の部分拡大正面図、(b)はその部分拡大右側面断面図、(c)は実施例のトンネルの壁面用複合パネルのアンカーボルトを配してない目地の十字状交差部付近の部分拡大正面図、(d)はその部分拡大右側面断面図。
【図４】(a)は図３(b)の拡大図、(b)は図３(d)の拡大図。
【図５】(a)は交差部用保持金具の正面図、(b)は右側面図、(c)は平面図。
【図６】(a)は実施例のトンネルの壁面用複合パネルの側部用保持金具が配してある左右側部付近の部分拡大正面図、(b)はその右側方で縦断面した部分拡大側面断面図、(c)は(a)の直上で水平断面した部分拡大平面断面図。
【図７】(a)は側部用保持金具の正面図、(b)は右側面図、(c)は平面図。
【図８】(a)は実施例のトンネル壁面用複合パネルの最上部の上下部用保持金具の配してある部位の部分拡大正面図、(b)は拡大平面図。
【図９】(a)は上下部用保持金具の正面図、(b)は右側面図、(c)は平面図。
【発明を実施するための形態】
【００２９】
本発明を実施するための形態を実施例に基づき図面を参照しながら詳細に説明する。
【００３０】
この実施例のトンネルの壁面用複合パネルは、図１〜図３、図６及び図８に示すように、基本的に、長方形板状のパネル本体１と、該パネル本体１の前面に縦横に配列し、接着剤２を介して接合した複数のタイル（プレート部材）３、３…と、前記パネル本体１の最上部に配置したタイル３、３…の上辺又は前記パネル本体１の最下部に配置したタイル３、３…の下辺を、それぞれその位置に保持する上下部用保持金具４、４…と、前記パネル本体１の前面に縦横に配置したタイル３、３…の各々の間の目地のうち、十字状の交差部となっているそれの中心にその中心を位置させて配置し、その左右上下のタイル３、３…を保持する交差部用保持金具５、５…と、前記パネル本体１の両側部に配置した上下隣接するタイル３、３を保持すべくその間の横目地に中心を一致させて配置する側部用保持金具６、６…とで構成したものである。
【００３１】
前記パネル本体１は、図１及び図２に示すように、この実施例では、横長長方形のボードを採用した。材質的には水酸化マグネシウムのボードである。勿論、これ以外に、一般に提供されているセメントボードその他の種々のボード類を採用することができる。安価に入手でき、できるだけ強度の高いものが好ましい。
【００３２】
前記接着剤２としては、この実施例では、硬化後に弾力性を有する弾性接着剤を採用した。
【００３３】
前記タイル３は、図１(b)及び図２(b)に示すように、横長長方形のそれを採用した。当然、これに限定されるものではない。種々のそれを自由に採用可能であるが、正面から見て方形の板材であることが原則である。背面には接着剤２との結合力を高めるために、適切な凹凸形状が形成されていることが好ましい。
【００３４】
前記上下部用保持金具４は、図１、図２、図８及び図９に示すように、最上部のタイル３、３…とパネル本体１とを上辺で、最下部のタイル３、３…とパネル本体１とを下辺で、それぞれ同時に抱持する上下辺抱持手段４ａと、該上下辺抱持手段４ａの一部から突出し、該タイル３、３…と該パネル本体１との間の接着剤２中に挿入埋設する埋設固定片４ｂとで構成する。
【００３５】
前記上下辺抱持手段４ａは、特に図８及び図９に示すように、前記タイル３の上辺側又は下辺側の前面に当接する舌片４ａ１と、前記パネル本体１の背面に当接する、前記舌片４ａ１と平行な接合片４ａ２と、該舌片４ａ１及び該接合片４ａ２をそれらの各一端側で連結する連結側片４ａ３とで構成したものである。該連結側片４ａ３は、前記舌片４ａ１及び接合片４ａ２と直交する向きに構成した構成要素である。なお、前記舌片４ａ１は、タイル３の前面側に露出する関係上、同図に示すように、小さく構成してある。また前記接合片４ａ２には、前記連結側片４ａ３の途中から連続する接着剤２との絡み結合用の切欠開口４ａ２ｈを形成してある。なお、この接合片４ａ２は、パネル本体１の背面に当接するものであり、特に小さくする必要はないので、同図に示すように、前記舌片４ａ１と比べて非常に大きく構成してある。
【００３６】
前記埋設固定片４ｂは、特に図８及び図９に示すように、前記連結側片４ａ３の途中から前記舌片４ａ１及び前記接合片４ａ２と同一方向にかつ平行に張り出した構成とする。該埋設固定片４ｂと該舌片４ａ１との間隔は、この間で保持するタイル３の厚さを僅かに越える寸法とし、かつ該埋設固定片４ｂと該接合片４ａ２との間隔は、この間で保持するパネル本体１の厚さを僅かに越える寸法とする。また該埋設固定片４ｂには、その内側に接着剤２との絡み結合用の切欠開口４ｂｈを形成する。
【００３７】
以上の上下部用保持金具４は、以上に述べ、図８及び図９に示すように、一枚の金属板、この実施例では、ステンレススチール製の板体を打ち抜き、かつ折曲して構成したものである。
【００３８】
前記交差部用保持金具５は、図１〜図５に示すように、タイル３、３…間の目地の交差部中央にその中央部を一致させて配置した状態で、左右両側の上下のタイル３、３…と前記パネル本体１との間で前記接着剤２中に埋設する埋設固定片５ａと、該埋設固定片５ａから立ち上がり、該埋設固定片５ａと共に、左右両側の上下のタイル３、３…の下辺又は上辺の各々を抱持する中間抱持手段５ｂとで構成する。
【００３９】
前記埋設固定片５ａは、図３〜図５に示すように、正面視で長方形を基本とする金属板部材であり、その中央部に、軸状取付手段、この実施例では、アンカーボルト７の貫通用の取付穴５ａｈを開口し、かつ該取付穴５ａｈの周縁及びその左右の上下方向中央部付近を除く部位に接着剤２との絡み結合用の切欠開口を形成した部材である。該切欠開口は、詳細には、該取付穴５ａｈの周縁では、該周縁を正面視菱形に形成し、これを囲む四辺形の枠との間に四個の変形四辺形開口を形成したものであり、左右両側では、四辺形の枠の縦方向中央部に横向きの中央枠を構成し、その上下に四辺形開口を形成したものである。
【００４０】
前記中間抱持手段５ｂは、図３〜図５に示すように、前記埋設固定片５ａの左右両側の上下方向中央部に位置する中央枠から各々タイル３、３間の横目地の間隔で立ち上げた上脚片５ｂ１、５ｂ１及び下脚片５ｂ２、５ｂ２と、該左右両側の上脚片５ｂ１、５ｂ１の先端から上向きに構成した上側のタイル３の下辺側前面に当接する舌片５ｂ１１、５ｂ１１及び下脚片５ｂ２、５ｂ２の先端から下向きに構成した下側のタイル３の上辺側前面に当接する舌片５ｂ２１、５ｂ２１と、で構成したものである。
【００４１】
以上の交差部用保持金具５は、以上に述べ、図３〜図５に示すように、一枚の金属板、この実施例では、ステンレススチール製の板体を打ち抜き、かつ折曲して構成したものである。
【００４２】
前記側部用保持金具６は、図１、図２、図６及び図７に示すように、前記パネル本体１と上下の前記タイル３、３との間で前記接着剤２中に埋設する埋設固定片６ａと、該埋設固定片６ａから立ち上がり、該埋設固定片６ａと共に、上下のタイル３、３の下辺又は上辺の各々を抱持する中間抱持手段６ｂとで構成する。
【００４３】
前記埋設固定片６ａは、図６及び図７に示すように、正面視で縦長長方形を基本とする金属板部材であり、全体を「日」形の枠状に構成し、その中央部の横向き枠の上下に四辺形の切欠開口を形成させ、接着剤２との絡み結合を行える構成としたものである。
【００４４】
前記中間抱持手段６ｂは、図６及び図７に示すように、前記埋設固定片６ａの中央部の横向き枠にタイル３、３間の横目地の間隔で立ち上げた上脚片６ｂ１及び下脚片６ｂ２と、該上脚片６ｂ１の先端から上向きに構成した上側のタイル３の下辺側前面に当接する舌片６ｂ１１及び下脚片６ｂ２の先端から下向きに構成した下側のタイル３の上辺側前面に当接する舌片６ｂ２１とで構成したものである。
【００４５】
以上の側部用保持金具６は、以上に述べ、図６及び図７に示すように、一枚の金属板、この実施例では、ステンレススチール製の板体を打ち抜き、かつ折曲して構成したものである。
【００４６】
なお、以上の交差部用保持金具５及び側部用保持金具６は、その上下方向中央の横線を対称軸として上下対称の構成である。従って実際には上下の区別は存在していない。上脚片５ｂ１、６ｂ１と下脚片５ｂ２、６ｂ２との区別、上側の舌片５ｂ１１、６ｂ１１と下側の舌片５ｂ２１、６ｂ２１との区別は、パネル本体１に取り付ける際の実際の向きに合わせて表示している便宜的な表示である。
【００４７】
この実施例のトンネルの壁面用複合パネルは、以上のパネル本体１の前面に接着剤２を塗布した上で、その前面にタイル３、３…を押圧しながら、図１(b)及び図２(b)に示すように、縦横に配列配置し、該パネル本体１に接着接合する。
【００４８】
このタイル３、３…の接着接合は、例えば、パネル本体１の下方から順次行うこととし、最下部のタイル３、３…については、各々その下辺中央を上下部用保持金具４の上下辺抱持手段４ａの舌片４ａ１と埋設固定片４ｂで抱えた状態で行う。この場合は、タイル３、３…の下辺をパネル本体１の下辺より若干下方に位置させ、該タイル３法面側を該パネル本体１に当接状態とした上で、上方に移動させ、図８に示すように、該パネル本体１の下辺を該上下部用保持金具４の接合片４ａ２と埋設固定片４ｂとで挟持する状態にする。該埋設固定片４ｂは、該パネル本体１の前面に塗布してある接着剤２中に良好に埋設状態になるようにする。また各タイル３、３…は、その背面ができるだけ該接着剤２に良好に接合状態となるようにする。
【００４９】
勿論、このような取付手順に代えて、最下部のタイル３、３…をパネル本体１の最下部の所定の位置に接合した後に、それぞれのタイル３、３…の下辺中央部に上下部用保持金具４を配することとしても良い。このときは、上記のように配した各タイル３、３…の各々の下辺中央部を該上下部用保持金具４の舌片４ａ１と埋設固定片４ｂとで抱え、該埋設固定片４ｂと接合片４ａ２とでパネル本体１の下辺の該当する部位を挟持するように、該上下部用保持金具４を、その埋設固定片４ｂをタイル３とパネル本体１の間に挿入しつつ下方から上方に向かって押し上げ操作する。こうして、前記し、図８(b)に示すように、該埋設固定片４ｂは接着剤２中に埋設状態とする。
【００５０】
この後、図１(b)及び図２(b)に示すように、以上の最下部に配したタイル３、３…の上辺には、左端のタイル３についてはその左端から１／４程の距離の位置、右端のタイル３については、その右端から１／４程の距離の位置に、それぞれ側部用保持金具６を配し、かつ全てのタイル３、３…について、前記交差部用保持金具５を、その埋設固定片５ａの中心と、隣接するタイル３、３…相互の目地の十字状交差部の中心とを一致させて、隣接するタイル３、３…間に配する。
【００５１】
前記側部用保持金具６、６については、左端及び右端のタイル３、３の上辺の前記所定の位置において、その各埋設固定片６ａの、下脚片６ｂ２の下方側の部位をそれぞれのタイル３の裏面とパネル本体１の前面との間に挿入し、図６(b)、(c)に示すように、それぞれ前記舌片６ｂ２１と該埋設固定片６ａの該当する側とで抱持状態にする。該埋設固定片６ａは、タイル３の裏面とパネル本体１の前面との間の接着剤２中に埋設状態とする。
【００５２】
前記交差部用保持金具５、５…については、各々の埋設固定片５ａの中心に位置する取付穴５ａｈを、各隣接するタイル３、３間の目地の交差部中心に上下対応させて位置決めした上で、該埋設固定片５ａの両側の下脚片５ｂ２、５ｂ２より下方の部分を、両側のタイル３、３の裏面とパネル本体１の前面との間に挿入する。該埋設固定片５ａの下部側の挿入は、概ね該下脚片５ｂ２、５ｂ２がタイル３、３の上辺に接するまで行えば、前記取付穴５ａｈが目地の交差部中心に一致するに至り、図３(c)、(d)に示すように、舌片５ｂ２１、５ｂ２１と埋設固定片５ａとでタイル３、３の上辺を抱持した状態となる。同時に、該埋設固定片５ａは、その全体が接着剤２中に埋没した状態になる。
【００５３】
次いで、パネル本体１の最下部に配したタイル３、３…の直上に最下部から二番目のタイル３、３を配列する。これらのタイル３、３…は、それぞれ最下部のタイル３、３…に対応させて僅かに上方に配置した上で、下方に滑るように移動させ、それぞれ、両端では、タイル３、３の下辺の対応する位置に前記側部用保持金具６の舌片６ｂ１１、６ｂ１１と埋設固定片６ａの上部側の間に装入し、全タイル３、３…の目地の交差部近傍では、それらの下辺を、交差部用保持金具５、５…の各々の上側の舌片５ｂ１１、５ｂ１１と埋設固定片５ａの上部側との間に装入する。
【００５４】
この後は、既に述べた、パネル本体１の最下部のタイル３、３…の上辺に側部用保持金具６、６…及び交差部用保持金具５、５…を配し、引き続いてその上方のタイル３、３…の下辺をそれらの金具の対応する上部側に装入する工程と全く同様の工程をパネル本体１の最上部まで繰り返す。最上部のタイル３、３…の上辺については、その中央部に、最下部のタイル３、３…の下辺中央部に配したのと同様の手順で上下部用保持金具４、４…を配する。
【００５５】
この後、トンネルの壁面への取り付けの際にアンカーボルト７、７…を貫通させる予定の、後述する交差部用保持金具５、５…の取付穴５ａｈ、５ａｈ…の前面部を除いて、目地に目地剤を充填する。こうしてこの実施例のトンネルの壁面用複合パネルの構成は完了である。
【００５６】
なお、以上の説明では、パネル本体１の前面への接着剤２の塗布は、一度に全面に行うようになっているが、横一列のタイル３、３…の塗布領域毎に、その張り付けの直前に行うようにしても良い。
【００５７】
また、このトンネルの壁面用複合パネルの作成手順は、以上のそれに限定されない。自由な手順方法で作成することができる。もっとも、接着剤２の塗布は、タイル３、３…にではなく、パネル本体１の前面へのそれを先に行う必要があるのは重要である。
【００５８】
この実施例のトンネルの壁面用複合パネルによれば、これらをトンネル内の壁面に取り付ける場合には、これらをそれぞれ壁面の所定の位置に配置し、各一枚のそれ毎に各々必要な取付力を確保できる適当数、この実施例では、６本のアンカーボルト７、７…を用いて該壁面に取付固定する。
【００５９】
具体的には、トンネルの壁面の所定の位置にこの実施例の壁面用複合パネルを当接させた上で、図１(b)に円で囲んで示したように、パネル本体１の左端の目地の十字状交差部中、最上部と最下部の交差部用保持金具５、５の取付穴５ａｈ、５ａｈ、中間より一つ右寄りの最上部と最下部の交差部用保持金具５、５の取付穴５ａｈ、５ａｈ、及び右端の最上部と最下部の交差部用保持金具５、５の取付穴５ａｈ、５ａｈを通じて、キリを通して該壁面にアンカーボルト７、７…用の下孔を穿設し、引き続いて該複合パネルの前面側から以上の交差部用保持金具５、５…の取付穴５ａｈ、５ａｈ…を通じて前記下孔にアンカーボルト７、７…を打ち込み固定し、更にその外端側にナットを螺合固定する。こうして以上の所定の交差部用保持金具５、５…の埋設固定片５ａ、５ａ…を該アンカーボルト７、７…を介して壁面に固定し、これによって複合パネル全体を壁面に固定する。
【００６０】
なお、前記したように、以上の所定の交差部用保持金具５、５…の埋設固定片５ａ、５ａ…の取付穴５ａｈ、５ａｈ…の部位については目地材の充填をしないようにしてある。
【００６１】
以上のように、この実施例のトンネルの壁面用複合パネルによれば、トンネル内の壁面に取り付けた場合に、これと該壁面とは、前記交差部用保持金具５、５…の埋設固定片５ａ、５ａ…及びアンカーボルト７、７…を介して結合するものであるため、この複合パネル自体が強い外力を受けたような場合であっても、それらの交差部用保持金具５、５…の埋設固定片５ａ、５ａ…とアンカーボルト７、７…との結合が容易に損傷を生じるようなことはなく、壁面からのこの複合パネルの落下のような問題の生じるおそれは殆ど無い。
【００６２】
すなわち、アンカーボルト７は、以上のように、パネル本体１の前面に配した交差部用保持金具５の埋設固定片５ａに固定されているので、たとえ、パネル本体１がこの実施例のように水酸化マグネシウムボードで構成され、必ずしも強度が高いと言えないものであったとしても、その強度ではなく、該交差部用保持金具５の埋設固定片５ａの強度で保持されるためである。
【００６３】
またこの実施例のトンネルの壁面用複合パネルによれば、パネル本体１の最上部及び最下部に位置するタイル３、３…は、前者の上辺及び後者の下辺が、接着剤２の他に、前記上下部用保持金具４、４…でパネル本体１に結合保持される。すなわち、前記舌片４ａ１と接合片４ａ２とによりタイル３とパネル本体１とが同時に抱持され、その抱持状態は、該舌片１ａ１及び該接合片４ａ２を繋ぐ連結側片４ａ３から延び、タイル３とパネル本体１との間の接着剤２中に埋設する埋設固定片４ｂにより確実に保持されることになる。該接着剤２は、パネル本体１にオープンタイム「０」で確実に接着接合しており、該埋設固定片４ｂは、切欠開口４ｂｈが開口してあり、その残余の部分が該接着剤２に埋設して完全に該接着剤に絡まれ、確実に結合した状態となって機械的な結合状態を確保しているからである。
【００６４】
以上のパネル本体１の最上部及び最下部に位置するタイル３、３…と同様に、接着剤２の他に、前記交差部用保持金具５、５…のうち、アンカーボルト７、７…で壁面に結合固定された交差部用保持金具５、５…によって、その上下のタイル３、３…がパネル本体１に確実に結合保持される。
【００６５】
以上のタイル３、３…の以上のようにして保持された部位以外の部位及びそれらのタイル３、３…以外のタイル３、３…は、パネル本体１と直接に接着剤２で結合される他、前記以外の交差部用保持金具５、５…と側部用保持金具６、６…とによってその上下辺又は上辺若しくは下辺を保持固定される。そしてこれらの交差部用保持金具５、５…及び側部用保持金具６、６…は、それぞれそれらの埋設固定片５ａ、６ａが、パネル本体１とタイル３、３…とを接着接合すべくその間に配した接着剤２中に埋設状態となり、該接着剤２との機械的結合状態を保持することとなる。それ故、該交差部用保持金具５、５…及び側部用保持金具６、６…を介した接着剤２との間のタイル３、３…の結合は確実なものとなる。
【００６６】
前記したように、パネル本体１の前面に塗布する接着剤２のオープンタイムが「０」であること及びコテ圧を掛けて塗布されること、そのため、パネル本体１の前面と接着剤２との接着接合は確実であり、その上に押圧接着するタイル３は、パネル本体１の前面に塗布された接着剤２とその後に接着接合するものであるが故に、パネル本体１との間のそれよりは接着接合が不確実になるといわざるを得ない。それ故、このような場合に、タイル３をパネル本体１から引き剥がそうとすると、殆どタイル３と接着剤２との間の界面で剥離し、それ以外の部位での剥離は殆ど見られない、というのが本件発明者の知見である。
【００６７】
以上のとおりであり、この実施例のトンネルの壁面用複合パネルにおいては、漏水のない壁面で使用されれば、接着剤２の耐用年数内の該接着剤２とパネル本体１の前面との間の接着接合は確実なものであり、それ故、少なくとも、この期間内では、パネル本体１と接着剤２との界面での剥離は容易に生じるものではない。また前記交差部用保持金具５、５…及び側部用保持金具６、６…の埋設固定片５ａ、５ａ…、６ａ、６ａ…は、接着剤２中に埋設状態であり、接着剤２は、前記切欠開口に入り込み、該埋設固定片５ａ、５ａ…、６ａ、６ａ…と接着剤２とは、接着剤２の接着力ではなく、機械的な結合力で結合している。それ故、その結合は強力であり、接着力を十分に越える強さである。
【００６８】
従ってタイル３は、前記交差部用保持金具５、５…及び側部用保持金具６、６…を介して強力に接着剤２と結合し、更に接着剤２と強力に接着接合するパネル本体１に結合することになる。タイル３、３…と接着剤２との接着接合の若干の弱さを補充することができるものである。
【産業上の利用可能性】
【００６９】
本発明のトンネルの壁面用複合パネルは、トンネル用部材の製造業の分野及びトンネル工事の分野で有効に利用することができる。
【符号の説明】
【００７０】
１    パネル本体
２    接着剤
３    タイル
４    上下部用保持金具
４ａ  上下辺抱持手段
４ａ１  舌片
４ａ２  接合片
４ａ２ｈ  切欠開口
４ａ３  連結側片
４ｂ  埋設固定片
４ｂｈ  切欠開口
５    交差部用保持金具
５ａ  埋設固定片
５ａｈ  取付穴
５ｂ  中間抱持手段
５ｂ１  上脚片
５ｂ１１  舌片
５ｂ２  下脚片
５ｂ２１  舌片
６    側部用保持金具
６ａ  埋設固定片
６ｂ  中間抱持手段
６ｂ１  上脚片
６ｂ１１  舌片
６ｂ２  下脚片
６ｂ２１  舌片
７    アンカーボルト
【要約】本発明のトンネルの壁面用複合パネルは、従来の複合パネルにおけるタイルの剥離落下の問題及びパネル本体の強度不足に起因する壁面への取り付けの不確実性の問題を低コストで解消することを目的とし、長方形板状のパネル本体１と、パネル本体１に塗布した接着剤２で接着接合したタイル３と、最上部及び最下部のタイル３を保持する上下部用保持金具４と、目地のうち十字状の交差部の中心にその中心を位置させて配置する交差部用保持金具５と、両側部のタイル３間の横目地に上下方向中央部を位置させる側部用保持金具６とで構成したもので、交差部用保持金具５は接着剤２中に埋設する埋設固定片５ａ及び上下のタイル３を抱持する中間抱持手段５ｂを備え、かつ埋設固定片５ａにアンカーボルト７用の取付穴５ａｈを開口し、側部用保持金具６は接着剤２中に埋設する埋設固定片６ａ及びタイル３を抱持する中間抱持手段６ｂを備える。【図１】
0005800305.tif 000002
【図２】
0005800305.tif 000003
【図３】
0005800305.tif 000004
【図４】
0005800305.tif 000005
【図５】
0005800305.tif 000006
【図６】
0005800305.tif 000007
【図７】
0005800305.tif 000008
【図８】
0005800305.tif 000009
【図９】
0005800305.tif 000010